(57)【特許請求の範囲】
【請求項１】
所定の画像を表示する表示装置と、
前記表示装置の動作状態を変更するための操作手段と、
前記操作手段の各操作に対応する文字列を互いに関連付けた状態で記憶する第１の記憶手段及び第２の記憶手段と、
前記操作手段により前記表示装置の動作状態が変更されると、前記操作手段の操作に対応した前記第１の記憶手段又は前記第２の記憶手段のいずれか一方の文字列を前記所定の画像と合成した状態で前記表示装置に表示させる文字列表示手段と、
前記操作手段の操作に対応した文字列を編集するための編集手段と、を有し、
前記第１の記憶手段に前記編集手段で編集可能な文字列を記憶させ、前記第２の記憶手段に前記操作に対応した文字列であって、予め設定されている編集不可な所定の文字列を記憶させたテレビシステムであって、
前記第１の記憶手段の文字列を前記表示装置に表示させる任意文字列表示モード、或いは、前記第２の記憶手段の文字列を前記表示装置に表示させるデフォルト文字列表示モードのいずれか一方を選択的に切り替える文字列表示モード切替手段を有したことを特徴とするテレビシステム。
【請求項２】
前記編集手段は前記第１の記憶手段の文字列に利用者の任意で少なくともカタカナを設定することができることを特徴とする請求項１に記載のテレビシステム。
【請求項３】
前記操作手段は前記テレビシステムのチャンネルの切換を行うことができ、前記文字列表示手段は前記操作手段により切り換えられたチャンネルに対応した文字列を表示することを特徴とする請求項１または請求項２に記載のテレビシステム。
【請求項４】
前記テレビシステムは内部チューナーと外部機器からの画像信号を受信する受信手段とを備え、前記操作手段は前記内部チューナーにより生成された画像信号と前記外部機器から受信した画像信号のいずれを前記表示装置に表示するかを切り換えることができるよう構成され、前記文字列表示手段は前記操作手段により切り換えられた前記内部チューナーまたは前記外部機器に対応した文字列を表示することを特徴とする請求項１から請求項３のいずれかに記載のテレビシステム。
【請求項５】
前記第１の記憶手段の文字列は文字を全く含まないゼロ文字列とすることができることを特徴とする請求項１から４のいずれかに記載のテレビシステム。
【請求項６】
前記第１の記憶手段の文字列が文字を全く含まない前記ゼロ文字列の場合には、前記文字列表示手段は前記表示装置に文字列を表示しないことを特徴とする請求項５に記載のテレビシステム。
【請求項７】
前記第１の記憶手段の文字列が文字を全く含まない前記ゼロ文字列の場合には、前記文字列表示手段は、それに対応する前記第２の記憶手段の文字列を表示することを特徴とする請求項５に記載のテレビシステム。
【請求項８】
前記テレビシステムは動作モードとして前記文字列表示手段による前記表示装置への前記文字列の表示を許容する表示許容モードと、前記文字列表示手段による前記表示装置への前記文字列の表示を禁止する表示禁止モードとを有することを特徴とする請求項１から請求項７のいずれかに記載のテレビシステム。
【請求項９】
各動作モードの設定変更は、前記操作手段に設けられた、少なくとも二つの所定の入力部を操作することにより実行可能であることを特徴とする請求項１又は請求項８のいずれかに記載のテレビシステム。
【請求項１０】
前記第１の記憶手段及び前記第２の記憶手段は、各チャンネルに対応して前記文字列を格納することを特徴とする請求項３に記載のテレビシステム。
【請求項１１】
前記第１の記憶手段及び前記第２の記憶手段は、前記内部チューナーにより選択される各チャンネルおよび前記外部機器からの信号を受信する受信手段に対応した前記文字列を格納することを特徴とする請求項４に記載のテレビシステム。
【請求項１２】
前記第１の記憶手段は不揮発性の書き込み可能なメモリであることを特徴とする請求項１０または請求項１１に記載のテレビシステム。
【請求項１３】
前記操作手段はリモートコントローラであり、前記リモートコントローラが前記編集手段としても機能することを特徴とする請求項１から請求項１２のいずれかに記載のテレビシステム。
【請求項１４】
前記編集手段は、前記文字列の削除、任意の文字の前記文字列への挿入・追加を行うことができることを特徴とする請求項１から請求項１３のいずれかに記載のテレビシステム。
【請求項１５】
テレビシステムにおいて、
所定の画像を表示する表示装置と、
前記テレビシステムの動作状態を変更するための操作手段と、
前記テレビシステムの複数の動作状態にそれぞれ対応した第１の文字列群を格納する第１の記憶手段と、
各々が、前記第１の文字列群のそれぞれと関連付けられるよう、前記テレビシステムの前記複数の動作状態にそれぞれ対応した第２の文字列群を格納する第２の記憶手段と、
前記第１の記憶手段に格納された文字列群を編集するための編集手段と、
前記操作手段により前記テレビシステムの動作状態が変更されると、変更後の動作状態に応じて前記第１の文字列群または前記第２の文字列群のうち前記変更後の動作状態に対応した文字列を前記所定の画像と合成した状態で前記表示装置に表示させる文字列表示手段と、
前記第１の文字列群と前記第２の文字列群のうちいずれの文字列群の文字列を前記文字列表示手段に表示させるかを選択する選択手段と、を有することを特徴とするテレビシステム。
【請求項１６】
前記複数の動作状態は、複数のチャンネルのいずれかを受信している状態を含み、前記第１及び第２の文字列群はそれぞれ前記複数のチャンネルを示す文字列を有することを特徴とする請求項１５に記載のテレビシステム。
【発明の詳細な説明】
【０００１】
【発明の属する技術分野】
本発明は、テレビシステムの動作状態を変更した場合に、変更された動作状態を受像機に表示する機能に関する。
【０００２】
【従来の技術】
近年のテレビシステムが備えている機能として、リモコン等により受信チャンネルを選択すると、選択したチェンネルの番号を画面の角にスーパーインポーズ表示するものが知られている。このチャンネル番号の表示は、通常リモコン等によりチャンネルを切り換えると、切り換えた瞬間に表示が開始され、その後数秒間表示を持続した後、チャンネル番号表示を消去して受信映像のみを表示するように構成されている。このような機能を持ったテレビシステムにおいては、チャンネル番号の表示の他にも、音量の調整時や外部入力装置からの信号の受信（ビデオ端子入力）への切換時などにも動作状態の変更に対応したスーパーインポーズ表示を行うよう構成することにより操作性を高めているものが多い。
【０００３】
このようなスーパーインポーズによる動作状態の表示の内、特にチャンネル番号表示の機能に関しては、選択されたチャンネル番号に対応した数字が表示されるものが一般に知られている。例えば、リモコンに「１」と表記されたボタンを押した時には、テレビシステムにおいてはチャンネル番号１が選択され、画面には数字「１」が表示される。
【０００４】
近年、上記のスーパーインポーズ表示機能の追加機能として、表示される数字（チャンネル番号）を変更可能なものが提案されている。すなわち、リモコンに「１」と表記されたボタンを押した時に、テレビシステムにおいて選択されるチャンネル番号は「１」のままであるが、画面に表示される番号は「１」ではなく他の数字、例えば「３」や「３５」などに変更する機能を持っているテレビシステムが提案され、実施されている。
【０００５】
前者の場合には画面に表示されるのはチャンネルを選択するための「ボタン番号」であり、どのボタンが押されたかを表示しているのみである。後者の場合は、ボタンによって表示される番号を任意に変更できるため、事前に正しい設定がされてさえいれば、そのチャンネルボタンに割り振られた放送局のＴＶチャンネルを表示させることができ、より簡便な機能として利用できる。なお、本明細書においては、チャンネル番号とはテレビシステム内部でのチャンネルを示す数字、ＴＶチャンネルとは放送局に対応したチャンネルを示す数字として区別して用いている。
【０００６】
【発明が解決しようとする課題】
しかしながら、従来のテレビシステムにおいては、単にチャンネル番号もしくはＴＶチャンネルが数字として表示されるだけであり、例えば旅行者等が旅行先でテレビを見る場合など、チャンネルと放送局の対応がわからずに所望の番組を見るために何度もチャンネル操作をする必要が生ずるといった問題があり、より操作性の良いテレビシステムが望まれていた。
【０００７】
本発明は上記の事情に鑑み、利用者が、現在どのＴＶチャンネルを選択しているのか、あるいは放送局からの信号を受信して見ているのかビデオテープレコーダなどの外部入力装置からのビデオ信号を受信して見ているのかを容易に知ることのできるテレビシステムを提供することを目的としている。
【０００８】
【課題を解決するための手段】
上記の課題を解決するため、本発明のテレビシステムは、所定の画像を表示する表示装置と、前記表示装置の動作状態を変更するための操作手段と、前記操作手段の各操作に対応する文字列を互いに関連付けた状態で記憶する第１の記憶手段及び第２の記憶手段と、前記操作手段により前記表示装置の動作状態が変更されると、前記操作手段の操作に対応した前記第１の記憶手段又は前記第２の記憶手段のいずれか一方の文字列を前記所定の画像と合成した状態で前記表示装置に表示させる文字列表示手段と、前記操作手段の操作に対応した文字列を編集するための編集手段と、を有し、前記第１の記憶手段に前記編集手段で編集可能な文字列を記憶させ、前記第２の記憶手段に前記操作に対応した文字列であって、予め設定されている編集不可な所定の文字列を記憶させたテレビシステムであって、前記第１の記憶手段の文字列を前記表示装置に表示させる任意文字列表示モード、或いは、前記第２の記憶手段の文字列を前記表示装置に表示させるデフォルト文字列表示モードのいずれか一方を選択的に切り替える文字列表示モード切替手段を有することを特徴としている。なお、ここで文字列とは、数字単独のみからなるものではなく、ひらがな、カタカナ、漢字等を含むものを指すものとする。
【０００９】
前記編集手段は前記文字列に利用者の任意で少なくともカタカナを設定することができる構成とすることができる。さらには、カタカナ以外の数字、アルファベット、ひらがなをも前記文字列に含ませることができる構成とすることも可能である。
【００１０】
前記操作手段は前記テレビシステムのチャンネルの切換を行うことができ、前記文字列表示手段は前記操作手段により切り換えられたチャンネルに対応した文字列を表示する構成とすることができる。
【００１１】
また、前記テレビシステムは内部チューナーと外部機器からの画像信号を受信する受信手段とを備え、前記操作手段は前記内部チューナーにより生成された画像信号と前記外部機器から受信した画像信号のいずれかを前記表示装置に表示するかを切り換えることができるよう構成され、前記文字列表示手段は前記操作手段により切り換えられた前記内部チューナーまたは前記外部機器に対応した文字列を表示するように構成することも可能である。言い換えれば、使用者側から見た場合に、前記テレビシステムにおいて、チャンネルの切り換えおよび内部チューナーから外部機器への切換を同等に取り扱うことが可能である。
【００１２】
前記第１の記憶手段の文字列は文字を全く含まないゼロ文字列とすることができる。そして、前記第１の記憶手段の文字列が文字を全く含まない前記ゼロ文字列の場合には、前記文字列表示手段は前記表示装置に文字列を表示しないよう構成することができる。
【００１３】
前記第１の記憶手段の文字列が文字を全く含まない前記ゼロ文字列の場合には、前記文字列表示手段は、それに対応する前記第２の記憶手段の文字列を表示する構成とすることも可能である。
【００１４】
前記テレビシステムは動作モードとして前記文字列表示手段による前記表示装置への前記文字列の表示を許容する表示許容モードと、前記文字列表示手段による前記表示装置への前記文字列の表示を禁止する表示禁止モードとを有する構成とすることができる。更に、前記表示許容モードにおいては、連続的に前記文字列を表示するモードと所定時間だけ前記文字列を表示するモードとを備える構成とすることも可能である。
【００１５】
各動作モードの設定変更は、前記操作手段に設けられた、少なくとも二つの所定の入力部を操作することにより実行可能であり得る。
【００１６】
前記第１の記憶手段及び前記第２の記憶手段は、各チャンネルに対応して前記文字列を格納する文字列記憶手段を有する構成とすることができる。
【００１７】
前記第１の記憶手段及び前記第２の記憶手段は、前記内部チューナーにより選択される各チャンネルおよび前記外部機器からの信号を受信する受信手段に対応した前記文字列を格納する文字列記憶手段を有する構成とすることができる。
【００１８】
前記第１の記憶手段は不揮発性の書き込み可能なメモリにより構成することができる。
【００１９】
前記操作手段は前記テレビシステムの受信動作を操作するリモートコントローラであり、前記リモートコントローラが前記編集手段としても機能する構成とすることができる。
【００２０】
前記編集手段は、前記文字列の削除、任意の文字の前記文字列への挿入・追加を行う構成とすることができる。
【００２１】
また、請求項１５に記載のテレビシステムは、所定の画像を表示する表示装置と、前記テレビシステムの動作状態を変更するための操作手段と、前記テレビシステムの複数の動作状態にそれぞれ対応した第１の文字列群を格納する第１の記憶手段と、各々が、前記第１の文字列群のそれぞれと関連付けられるよう、前記テレビシステムの前記複数の動作状態にそれぞれ対応した第２の文字列群を格納する第２の記憶手段と、前記第１の記憶手段に格納された文字列群を編集するための編集手段と、前記操作手段により前記テレビシステムの動作状態が変更されると、変更後の動作状態に応じて前記第１の文字列群または前記第２の文字列群のうち前記変更後の動作状態に対応した文字列を前記所定の画像と合成した状態で前記表示装置に表示させる文字列表示手段と、前記第１の文字列群と前記第２の文字列群のうちいずれの文字列群の文字列を前記文字列表示手段に表示させるかを選択する選択手段と、を有することを特徴としている。
【００２２】
前記複数の動作状態は、複数のチャンネルのいずれかを受信している状態を含み、前記第１及び第２の文字列群はそれぞれ前記複数のチャンネルを示す文字列を有する構成とすることができる。
【００２３】
【発明の実施の形態】
以下、本発明の実施の形態について図面を参照して説明する。図１は本発明の実施の形態であるテレビシステム１の構成を示したブロック図である。テレビシステム１はテレビ（ＴＶ）受像機１０とリモートコントローラ３０から構成される。さらに、ＴＶ受像機１０は、表示装置としてのＣＲＴ（ブラウン管）１１、ＣＰＵ（中央処理装置）１２、ＴＶ受像回路１３、スピーカ１４、スーパーインポーズ合成回路１５、アンテナ１６、外部入力端子１００、ＶＤＰ（ビデオプロセッサ）１７、ＲＯＭ１８、操作部１９、フラッシュメモリ２０を備えている。フラッシュメモリ２０には、ＴＶ受像機１０の各チャンネル番号と対応した文字列を格納する第１の記憶領域２０１および第２の記憶領域２０２が設けられている。
【００２４】
ＣＲＴ１１、内部チューナーを含むＴＶ受像回路１３、アンテナ１６、スピーカ１４は、標準的なＴＶ受像機を構成する公知の機構であり詳細な説明は省略する。外部入力端子１００は、ＴＶ受像機にビデオデッキ等のビデオ機器を接続するための接続端子（ビデオ端子）であり、ＴＶ受像回路１３は外部入力端子１００から入力されたビデオ信号の復調および受像を行うこともできる。即ち、本実施の形態のＴＶ受像機１０は、放送局からの電波と外部機器からのビデオ信号のいずれをも処理することができる。チャンネル番号を選択することによりどの放送局からの電波を受信し再生するかを選択することができる。外部機器からのビデオ信号を再生するモードと放送局からの電波を受信するモードの切換は、リモートコントローラ３０にてチャンネル番号を選択する代わりにビデオを選択すれば良い。この操作は利用者にとってはチャンネル選択と同様の操作であり、以下の説明においては、説明を簡略化するためチャンネル番号の選択には外部機器の選択も含まれるものとする。
【００２５】
スーパーインポーズ合成回路１５と、ＶＤＰ１７と、ＲＯＭ１８およびＣＲＴ１１は本発明による文字列表示手段として機能する。ＲＯＭ１８には文字表示を行うための文字フォントデータ（ビットマップデータ）が格納されている。ＶＤＰ１７はＲＯＭ１８から文字フォントデータを読み出し、表示すべき文字からなる合成前の画像を作り出す。スーパーインポーズ合成回路１５は、ＶＤＰ１７によって作り出された文字表示用の画像と、ＴＶ受像回路１３が出力するＴＶ放送（または外部入力）受像画像とを合成し、ＣＲＴ１１に表示する。
【００２６】
ＣＰＵ１２と、フラッシュメモリ２０は本発明による文字列群記憶手段として機能する。ＣＰＵ１２は不揮発性メモリであるフラッシュメモリ２０に対してデータの読み書きを行う。詳細は後述するが、フラッシュメモリ２０の第１の記憶領域２０１および第２の記憶領域２０２にはそれぞれ、各チャンネル番号に対応した文字列が格納されている。ＣＰＵ１２は設定された表示モードに対応して、上記第１の記憶領域２０１および第２の記憶領域２０２のいずれか一方を参照して、選択されているチャンネル番号に対応した文字列を表示するようＶＤＰ１７を制御する。本実施の形態においては、第１の記憶領域２０１に格納されている文字列は編集可能となっている。
【００２７】
チャンネル切り換え時の文字列表示及び、チャンネル番号毎に文字列を編集するために必要となる各装置の制御を行うためのプログラムは、フラッシュメモリ２０にマイクロプログラムとして格納されており、ＣＰＵ１２が読み出し、実行を行う。
【００２８】
操作部１９と、リモコン３０は、使用者が入力媒体として用いるもので、本発明における操作手段を構成する。リモートコントローラ３０は赤外線によりリモートコントローラ３０に設けられたボタンの操作に応じた信号を操作部１９に送信する。操作部１９には赤外線信号受光部（図示せず）が設けられており、リモートコントローラ３０から送られてきた赤外線信号に対応したコマンドを生成してＣＰＵ１２に出力する。なお、本実施の形態においては、リモートコントローラ３０の操作により各種の操作を行う用になっているが、操作部１９にリモートコントローラ３０が備える操作ボタンと同様の操作部材を設ける構成とすることも可能である。
【００２９】
図２および図３は、第１の記憶領域２０１および第２の記憶領域２０２に格納されるチャンネル番号と文字列との対応表を表形式で示したものである。第１の記憶領域２０１においては、各チャンネル番号に対応して各放送局の名称等を表す文字列が格納されている。従って、選択されたチャンネル番号に対して第１の記憶領域２０１に格納されている文字列がＣＲＴ１１に表示されると、どの放送局が選択されたかが放送局の名称により表示されるため、ＴＶチャンネルと放送局との対応関係を知らなくても選択された放送局を知ることができる。なお、この第１の記憶領域２０１に格納されている文字列は利用者が任意の文字列として設定することができる。例えば、図２においてチャンネル番号１に対応して○○テレビという文字列が設定されているが、利用者はこの文字列を任意の文字列に帰ることができる。さらに、あるチャンネル番号に対応する文字列すべてを削除した場合（文字列が設定されていない状態をゼロ文字列と呼ぶことにする）、そのチャンネル番号を選択したときにはＣＲＴ１１には文字列が表示されないようになる。なお、各チャンネル番号に対応する文字列はそれぞれアスキー文字コード等によって１文字＝１バイトとして記憶されており、本実施の形態においては１２バイト（１２文字）の文字列が設定可能である。また、文字列には、アルファベット、数字、ひらがな、及びカタカナを用いることができる構成としている。
【００３０】
なお、本実施の形態においては、第１の記憶領域２０１に格納されている文字列がゼロ文字列の場合には、ＣＲＴ１１に文字列が表示されないようになっているが、第１の記憶領域２０１に格納されている文字列がゼロ文字列の場合に第２の記憶領域２０２に格納されている文字列を表示するようにすることも可能である。
【００３１】
図３に示すように、第２の記憶領域２０２においては、各チャンネル番号に対してチャンネル番号そのものを示す文字列が格納されている。従って、選択されたチャンネル番号に対して第２の記憶領域２０２に格納されている文字列がＣＲＴ１１に表示される場合には、選択されたチャンネル番号そのものが表示されることになる。
【００３２】
利用者は、文字列を表示する場合に、第１の記憶領域２０１に格納される文字列を表示させるか第２の記憶領域２０２に格納される文字列を表示させるかを選択することができる。本実施の形態においては第２の記憶領域２０２に格納されている文字列は変更しない構成となっている。また、テレビシステム１の出荷時には、第２の記憶領域２０２に格納されている文字列が表示されるように設定されている。なお、本実施の形態においては、変更しない文字列もフラッシュメモリ２０に格納する構成としているが、第２の記憶領域はＲＯＭ１８に設けるようにしても良い。
【００３３】
図４は、第１の記憶領域２０１に、チャンネル番号に対応した文字列を編集する際にＣＲＴ１１の画面１１Ｓに表示される操作画面を示す図である。図４に示すように、チャンネル番号に文字列を設定する場合には、画面１１Ｓに現在選択されているチャンネルおよび設定操作を行うためにリモートコントローラ３０のどのボタンを操作するのかを示す情報表示部１１１と、選択中のチャンネル番号に対して文字列を入力するための入力部１１２とが表示される。図４においては、操作内容が各行の左側に示され、コロン（：）を挟んで［］内に操作すべきリモートコントローラ３０上のボタンが示される。特にチャンネル番号の選択に関しては、チャンネルボタン（数字ボタン）を操作することによりチャンネル番号を選択することができ、図４の例では、選択されたチャンネル番号「３」が［チャンネル］の右隣に表示されている。
【００３４】
文字列としては、入力部１１２の左側の「入力＞」という表示の右側に１２文字まで任意の文字を入力することができる。なお、本実施の形態においては入力可能な文字は数字、アルファベット、ひらがな、カタカナのみである。フォントデータおよび変換プログラムを追加すれば、漢字を使用するようにすることも可能になる。入力部１１２は、図４に示すように、１２文字分のアンダーラインおよび現在設定中の文字を示すカーソル１１ｃが表示される。
【００３５】
図５はリモートコントローラ３０の各操作ボタンを示す図である。リモートコントローラ３０には、ＴＶ受像機の電源をオン・オフするための電源ボタン３０Ａ、スピーカ１４の音声出力を停止する消音ボタン３０Ｂ、ＣＲＴ１１にチャンネル番号に対応した情報を常時表示するようにするかどうかを選択する表示ボタン３０Ｃ、チャンネル番号を選択するチャンネルボタン３０Ｆ、チャンネル番号を昇順で順次変えるボタン３０Ｄおよび降順で順次変更するためのボタン３０Ｅ、スピーカ１４の音量レベルを調整するための音量ボタン３０Ｇなどが設けられている。チャンネル番号毎の文字列を設定する文字列編集モードで動作する場合には、上述のリモートコントローラ３０上のボタンおよび操作手段１９は文字入力手段（編集手段）として機能する。
【００３６】
チャンネル順序ボタン（記号▽および△で示される）３０Ｄおよび３０Ｅを操作することにより、カーソル１１ｃで示される文字の文字コードが増加または減少する。カーソル１１ｃ位置の文字が所望の文字になると、表示ボタン３０Ｃを操作することにより、ＣＰＵ１２は当該文字をＣＰＵ１２内部のＲＡＭ１２Ｒに格納する。この時、カーソル１１ｃは右隣の桁に移動する。入力されている文字を消去したい場合には消音ボタン３０Ｂを操作すると、カーソル１１ｃで示される文字が消去され、カーソル１１ｃは現在表示中の文字の左隣の文字を示す。以上のようにしてチャンネル毎に任意の文字列の入力が終了すると、電源ボタン３０Ａを操作することにより、ＣＰＵ１２はＲＡＭ１２Ｒに一時的に格納された文字列群をフラッシュメモリ２０の第１記憶領域２０１に書き込む。
【００３７】
図６は、第１の記憶領域２０１に基づいて画面１１Ｓにチャンネル番号に対応した文字列を表示するユーザ設定モードと、第２の記憶領域２０２に基づくデフォルト設定モードとの切り換えの処理を示すフローチャートである。図６の処理は、リモートコントローラ３０の表示ボタン３０Ｃと電源ボタン３０Ａが同時に押されるとＣＰＵ１２により実行される割り込み処理である。
【００３８】
図６のモード変更処理が開始されると、ステップＳ６１（以下、単にＳ６１のように示す）において、現在の設定モードがデフォルト設定かユーザ設定かを判定する。もしも現在のモードがデフォルト設定モードであれば（Ｓ６１：ＹＥＳ）、Ｓ６３においてユーザ設定モードにモードが変更される。もしも現在のモードがユーザ設定モードであれば（Ｓ６１：ＮＯ）、Ｓ６５においてモードがデフォルト設定モードに変更される。即ち、リモートコントローラ３０の表示ボタン３０Ｃと電源ボタン３０Ａが同時に押されることにより、デフォルト設定とユーザ設定を交互に切り換える選択手段が実現される。
【００３９】
図７は、第１の記憶領域２０１に格納されるデータを編集する編集処理を示すフローチャートである。編集処理は、消音ボタン３０Ｂと表示ボタン３０Ｃが同時に押されるとＣＰＵ１２により実行される割り込み処理である。この様に、２つのボタンを同時に押すという普段行われない操作によって機能の呼び出しを行えるようにしたため、文字列を編集する機能が追加されているにもかかわらず、リモコンの操作ボタン数が増加することを防ぐことができる。
【００４０】
図７の処理が開始されると、図４に示す操作画面１１ＳがＣＲＴ１１に表示される（Ｓ７１）。ここで、編集対象の文字列に対応したチャンネル番号を選択する場合には、チャンネルボタン３０Ｆを操作する（Ｓ７２：ＹＥＳ）。チャンネルボタン３０Ｆが操作された場合には、Ｓ７３において選択されたチャンネル番号がＲＡＭ１２Ｒにセットされる。チャンネルボタン３０Ｆが操作されない場合には、現在選択されているチャンネル番号（すなわち画面１１Ｓに表示されているチャンネル番号）に対応した文字列が設定されることになる。
【００４１】
Ｓ７４では、カーソル１１ｃを表示して文字の入力位置を利用者に示す。編集処理が開始された時点では、画面１１Ｓ上のカーソル１１ｃの位置は、「入力＞」の表示の右側を示す位置になっている。即ち、文字が入力されていない状態から文字設定を行うことになる。なお、ここで、第１の記憶領域２０１から、選択チャンネル番号に対応して既に格納されている文字列を読み出して表示するようにしても良い。チャンネル順序ボタン３０Ｄおよび３０Ｅを操作して文字コードを増減することにより、所望の文字をカーソル１１ｃが示す位置（桁）に表示させる（Ｓ７５、Ｓ７６）。
【００４２】
表示ボタン３０Ｃ、消音ボタン３０Ｂ、電源ボタン３０Ａのいずれかが操作されるまでは上記Ｓ７２からＳ８１間での処理が繰り返される。カーソル１１ｃが示す位置に所望の文字が表示されると、利用者は表示ボタン３０Ｃを押す（Ｓ７７：ＹＥＳ）。これにより、カーソル１１ｃが示す位置に表示されている文字の文字コードがＲＡＭ１２Ｒに格納され（Ｓ７８）、カーソル１１ｃは右隣の桁に移動して、次の文字が入力可能となる。既に入力した（ＲＡＭ１２Ｒに格納した）文字を削除する場合には消音ボタン３０Ｂを操作する。消音ボタン３０Ｂの操作により（Ｓ７９：ＹＥＳ）、カーソル１１ｃで示される位置の文字が消去され、カーソル１１ｃは現在表示中の文字の左隣の文字を示す。複数の文字を消去する場合には消音ボタン３０Ｂを複数回押せばよい。
【００４３】
上記の処理を繰り返すことにより、所望のチャンネル番号に対し所望の文字が文字列の設定が完了すると、利用者は電源ボタン３０Ａを押す。電源ボタン３０Ａが押されると（Ｓ８１：ＹＥＳ）、第１の記憶領域２０１の、Ｓ７１で選択されたチャンネル番号に対応した領域部にＲＡＭ１２Ｒに格納された文字列を転送し、書き込む（Ｓ８２）。第１の記憶領域２０１の更新が完了すると、操作画面は消去されて図７に示す編集処理は完了し、通常の受像画面が表示される。
【００４４】
図８は、チャンネル番号を選択した時に（チャンネルを切り換えた時に）実行されるチャンネル表示処理である。チャンネル表示処理はＴＶ受像機の電源がオンされたとき、リモートコントローラ３０のチャンネルボタン３０Ｆを操作したとき、表示ボタン３０Ｃが操作されたときに実行される割り込み処理である。なお、チャンネル番号の選択に伴う受信処理（受信周波数の切り換え、内部チューナーと外部入力との切り換え）は公知の技術であるため説明を省略する。
【００４５】
図８において、上記の操作が行われると、ＣＰＵ１２は選択されたチャンネル番号を判定する。より詳細には、電源ボタン３０ＡによりＴＶ受像機がオンされたとき、あるいは表示ボタン３０Ｃが操作された場合には、ＣＰＵ１２はその時選択されているチャンネル番号を取得する。また、チャンネルボタン３０Ｆが操作されて図８の処理が開始された場合には、操作されたチャンネルボタン３０Ｆの番号を取得する（Ｓ１０１）。チャンネル番号は操作部１９を通じて取得することができる。
【００４６】
次に、ＣＰＵ１２はＴＶ受像回路１３に対して制御信号を出力して、押し下げられたチャンネル番号に対応するＴＶ放送波を受信、復調させる（Ｓ１０２）。
【００４７】
Ｓ１０３において、ＣＰＵ１２は、画面１１Ｓに表示する文字列としてデフォルト設定を用いるかユーザ設定を用いるかの判別を行う（Ｓ１０３）。現在の設定がデフォルト設定であった場合には（Ｓ１０３：ＹＥＳ）、第２の記憶領域２０２に格納されている文字列群のうちＳ１０１において取得したチャンネル番号に対応する文字列を読み出す（Ｓ１０４）。デフォルト設定でない場合（Ｓ１０３：ＮＯ）には第１の記憶領域２０１に格納されている文字列群のうちＳ１０１において取得したチャンネル番号に対応する文字列を読み出す（Ｓ１０４）。この処理は、図６において説明を行ったモード切換処理と連動する。設定はＲＡＭ１２Ｒに保存されている。
【００４８】
次にＴＶ受像回路１３から出力された映像信号と合成するためのスーパーインポーズ画面の作成を行う（Ｓ１０６）。ＣＰＵ１２はＳ１０４またはＳ１０５において読み出した選択チャンネル番号に対応した文字列のデータをＶＤＰ１７に送信する。ＶＤＰ１７は文字列データに基づいてＲＯＭ１８より文字フォントのビットイメージを読み出し、任意の文字画像からなるスーパーインポーズ画面を生成し、ＣＲＴ１１に表示するための映像信号を出力する。この時、ＣＰＵ１２はＶＤＰ１７を制御して、表示される文字の画面１１Ｓにおける表示座標、表示色などの調整を行う。
【００４９】
次に、ＣＰＵ１２は合成回路１５を制御して、ＴＶ受像回路から映像信号として出力されたＴＶ放送の受像画像と、ＶＤＰ１７により出力されたスーパーインポーズ画面の映像信号とを合成し、受像されたＴＶ放送の画像に、作成された文字表示が重なった、合成画像をＣＲＴ１１の画面１１Ｓに表示する（Ｓ１０７）。
【００５０】
Ｓ１０８では、常時文字列を表示しておく常時表示モードが選択されているか、チャンネル切り換え時（および電源オン時、表示モード変更時）に所定時間だけ表示する表示モードが選択されているかを判定する。なお、表示モードの選択はリモートコントローラ３０における表示ボタン３０Ｃを押下することによって行われる。前者が選択されている場合には（Ｓ１０８：ＹＥＳ）、図８に示すチャンネル表示処理を終了し、文字列は画面１１Ｓにずっと表示されたままとなる。後者が選択された場合には（Ｓ１０８：ＮＯ）、Ｓ１０９へ処理が進められる。
【００５１】
Ｓ１０９において、ＣＰＵ１２は、所定時間（例えば２秒）待機する。すなわち、所定時間、文字列の表示を継続する。
【００５２】
所定時間が経過すると（Ｓ１０９：ＹＥＳ）、ＣＰＵ１２は合成回路１５を制御して、ＶＤＰ１７の出力信号とＴＶ受像回路１３からの映像信号の合成を停止し、ＴＶ受像回路１３からの映像信号のみをＣＲＴ１１に出力することにより、文字列のスーパーインポーズ合成をやめ、ＴＶ放送の受像画像のみを表示して（Ｓ１１０）、図８の処理を完了する。
【００５３】
前述のように、チャンネルボタン３０Ｆ、表示ボタン３０Ｃが操作されたとき、あるいは、電源ボタン３０Ａが操作されてＴＶ受像機１０がオンされた時に、ＣＰＵ１２は図８の処理を実行し、チャンネル番号毎に割り振られた任意の文字列もしくはデフォルト文字列を表示することができる。
【００５４】
以上説明した実施の形態においては、ユーザ文字列を入力する場合、設定画面が表示されている状態でチャンネルボタン３０Ｆを押すことにより、チャンネルを選択することができる例について示したが、１回の操作により１つのチャンネル番号に対する文字列のみを変える構成でよいなら、表示ボタン３０Ｃと消音ボタン３０Ｂが同時に押された時点で選択されていたチャンネル番号についての文字列の編集を行う構成とすることも可能である。そのような構成であれば、使用者はまず表示文字列を変更したいチャンネル番号を選択し、その後に表示ボタン３０Ｃと消音ボタン３０Ｂを同時に押すことにより文字列の入力を行うようにすればよい。
【００５５】
このようにして、あるチャンネルの表示文字列が変更されると、その変更はただちに有効になり、変更された以降の該当チャンネルへの切り換え時には変更した任意の文字列が表示されるものである。
【００５６】
以上、本発明の実施の形態について詳細に説明したが、本発明は上述の実施の形態に限定されるものでなく、発明の要旨を逸脱しない範囲で様々な態様にて実施できることはいうまでもない。
【００５７】
たとえば、上記の実施の形態においては、ＴＶチャンネルの切り換えをリモコンにより行う場合を想定しているが、ＴＶ受像機本体に設けられた操作手段（チャンネル切り換え手段）の操作によっても本発明を実施することが可能である。また、このテレビシステムは、ＣＡＴＶについても適用可能であり、そのＣＡＴＡＶはカラオケ用の映像、音声等を出力することができるものであってもよい。
【００５８】
【発明の効果】
請求項１に記載のテレビシステムによれば、映像を表示する表示装置の動作状態が変更された場合に、変更後の動作状態に対応した任意の文字列が表示されるように設定できるため、利用者が変更後の動作状態を的確に認識することが可能になる。特に、請求項３に記載のテレビシステムにおいては、テレビシステムのチャンネル番号の切り換えに対応して、当該チャンネル番号により受信する電波の放送局等を表示させるように設定することができるため、使い勝手の良いテレビシステムを構成することができる。
【００５９】
請求項２に記載のテレビシステムによれば、前記編集手段は前記文字列に利用者の任意で数字だけでなくカタカナなどを設定することができるため、文字列により様々な情報を伝達することが可能なため、動作状態を的確に表現する文字列を設定することができる。
【００６０】
請求項４に記載のテレビシステムによれば、利用者は、内部チューナーにより生成された映像信号であるか、外部機器から受信した映像信号であるかを意識することなく、両者を同等に扱いつつ、いずれが選択されているかを確実に知ることができ、また、複数の外部機器が接続されている場合に、いずれの機器が選択されているかを知ることができるため、極めて使い勝手の良いテレビシステムを構成することが可能となる。
【００６１】
請求項５に記載のテレビシステムによれば、前記文字列は文字を全く含まないゼロ文字列とすることができる。この場合、請求項６に記載されているように、前記文字列表示手段は前記表示装置に文字列を表示しないようにすることもでき、また、前記文字列表示手段は前記表示装置に前記操作に対応して予め設定されている所定の文字列を表示する構成とすることもできる。従って、前者の場合には、利用者は意図的にあるチャンネル番号については文字列を表示しないようにすることができる。また、後者の構成においては、ある特定のチャンネル番号が選択された場合にのみ所望の文字列を表示させ、他のチャンネル番号が選択された場合にはデフォルト値（例えばチャンネル番号そのもの）を表示させるようにすることが可能になる。
【００６２】
請求項８に記載のテレビシステムによれば、利用者が望まないときにはチャネルの切り換え時などにも文字列を全く表示させないようにすることができる。
【００６３】
また、任意文字列表示とデフォルト文字列のどちらを表示させるかを利用者が選択できるため、一旦設定した文字列（任意文字列）を消去することなくデフォルト文字列を表示させることができる。
【００６４】
請求項１０に記載のテレビシステムによれば、前記文字列表示手段は、各チャンネル番号に対応して前記文字列を格納する文字列記憶手段を有しており、前記記憶手段に各チャンネル番号に対応した任意の文字列データを格納することにより、容易に表示文字列を設定することができる。
【００６５】
請求項１１に記載のテレビシステムによれば内部チューナーと外部機器とにかかわらず、記憶手段に文字列を格納するだけで表示文字列の設定が完了する。
【００６６】
請求項１２に記載のテレビシステムによれば、文字列記憶手段は不揮発性の書き込み可能なメモリであるため、電源がオフされても設定された任意文字列が消えることが無く、かつ、自由に文字列を編集することが可能となる。
【００６７】
請求項１３に記載のテレビシステムによれば、リモートコントローラを編集手段としても用いることができるため、他に入力手段を設ける必要が無く、しかも手軽に文字列の変更を行うことができる。
【００６８】
請求項１４に記載のテレビシステムによれば、前記編集手段は、前記文字列の削除、任意の文字の前記文字列への挿入・追加を行うことができ、所望の文字列を設定することができ、また自由に文字列を更新することができる。
【００６９】
請求項１５に記載のテレビシステムによれば、文字列が任意設定されていても、その任意設定された文字列を表示したくない場合には、設定された文字列を消去することなく別の文字列（デフォルト文字列）を表示させることができる。
【００７０】
請求項１６に記載のテレビシステムによれば、チャンネル切り換えに応じて表示される文字列を、任意文字列とデフォルト文字列のいずれにも設定することができ、かつ、任意に切り換えることができる。
【図面の簡単な説明】
【図１】  本発明によるテレビシステムの構成を示すブロック図である。
【図２】  第１の記憶手段に格納されるチャンネル番号に対応した文字列を示す図である。
【図３】  第２の記憶手段に格納されるチャンネル番号に対応した文字列を示す図である。
【図４】  チャンネル毎文字列編集手段の想定する操作画面の例を示す図である。
【図５】  本発明のテレビシステムのリモコンの構成を示す図である。
【図６】  モード変更処理のフローチャートである。
【図７】  編集処理のフローチャートである。
【図８】  チャンネル表示処理のフローチャートである。
【符号の説明】
１  テレビシステム
１０  ＴＶ受像機
１１  ＣＲＴ（ブラウン管）
１２  ＣＰＵ（中央処理装置）
１２Ｒ  ＲＡＭ（Random Access Memory）
１３  ＴＶ受像回路
１４  スピーカ
１５  合成回路
１６  アンテナ
１７  ＶＤＰ（ビデオプロセッサ）
１８  ＲＯＭ（Read Only Memory）
１９  操作部
２０  フラッシュメモリ
２０１  第１の記憶領域
２０２  第２の記憶領域
３０  リモートコントローラ
１００  外部入力端子
【図１】
0003670418.tif 000002
【図２】
0003670418.tif 000003
【図３】
0003670418.tif 000004
【図４】
0003670418.tif 000005
【図５】
0003670418.tif 000006
【図６】
0003670418.tif 000007
【図７】
0003670418.tif 000008
【図８】
0003670418.tif 000009